(57)【要約】      （修正有）【課題】ケーブルにかかる軸方向応力により良好に耐える、密閉型電気コネクタ用のケーブルクランプ装置を提供する。【解決手段】本発明は、グリッド３を備え、グリッド３自体が、１つまたは複数のケーブルをそれぞれ受け入れるための１つまたは複数のオリフィス９、１１を備えており、前記グリッド３が、１つまたは複数のケーブルをグリッド３の少なくとも１つのオリフィス９、１１に固定するためのクランプ手段を備えている、密閉型電気コネクタのハウジング用のケーブルクランプ装置。したがって、グリッド３は、リアグリッドとして作用するのに加えて、引張り応力を受けているときでもケーブルを保持することを可能にする。本発明はまた、電気コネクタ、およびケーブルクランプ装置を電気コネクタ、特に密閉型電気コネクタのハウジングに接合する方法に関する。【選択図】図２ａ
2019200992.tif 000002
【特許請求の範囲】
【請求項１】
グリッド（３）を備え、前記グリッド（３）自体が、１つまたは複数のケーブル（１０５、１０７）をそれぞれ受け入れるための１つまたは複数の受入れオリフィス（９、１１）をそれぞれ備えており、前記グリッド（３）が、各前記１つまたは複数のケーブル（１０５、１０７）を前記グリッド（３）の各前記１つまたは複数の受入れオリフィス（９、１１）に固定するためのクランプ手段を備えている、密閉型電気コネクタ（１００）のハウジング（１０１）用のケーブルクランプ装置（１）。
【請求項２】
前記グリッド（３）は、第１のジョー（５）および第２のジョー（７）を備えており、前記第１のジョー（５）および前記第２のジョー（７）は、前記第１のジョー（５）と前記第２のジョー（７）との間に前記１つまたは複数のケーブル（１０５、１０７）のための前記１つまたは複数の受入れオリフィス（９、１１）を形成しており、前記ハウジング（１０１）の開口（１０３）への導入時に閉じることによって前記１つまたは複数の受入れオリフィス（９、１１）内で前記１つまたは複数のケーブル（１０５、１０７）をそれぞれ締め付けるように互いに対して可動である、請求項１に記載の密閉型電気コネクタ（１００）のハウジング（１０１）用のケーブルクランプ装置（１）。
【請求項３】
前記第１のジョー（５）は、１つまたは複数の弾性変形可能なヒンジ（３１、３３）を使用して、前記第２のジョー（７）に対する前記第１のジョー（５）の回転旋回動作を可能にするように、前記第２のジョー（７）に対して可動に取り付けられている、請求項２に記載の密閉型電気コネクタ（１００）のハウジング（１０１）用のケーブルクランプ装置（１）。
【請求項４】
前記第１のジョー（５）、前記第２のジョー（７）および前記１つまたは複数のヒンジ（３１、３３）は、
前記ケーブルクランプ装置（１）が前記ハウジング（１０１）に挿入されていないいわゆる組立て状態で、前記第１のジョー（５）及び前記第２のジョー（７）が開いて前記ケーブル（１０５、１０７）の前記導入を可能にし、
前記ケーブルクランプ装置（１）が前記ハウジング（１０１）に挿入されているいわゆる組付け状態で、前記第１のジョー（５）及び前記第２のジョー（７）がさらに閉じて前記ケーブル（１０５、１０７）が前記受入れオリフィス（９、１１）に固定されるように形成されている、請求項３に記載の密閉型電気コネクタ（１００）のハウジング（１０１）用のケーブルクランプ装置（１）。
【請求項５】
前記第１のジョー（５）は、前記グリッド（３）の導入方向に前記ハウジング（１０１）の前記開口（１０３）へ向けて下降している斜面を有した傾斜面要素（４１）を具備している、請求項２から４のいずれか一項に記載の密閉型電気コネクタ（１００）のハウジング（１０１）用のケーブルクランプ装置（１）。
【請求項６】
前記傾斜面要素（４１）の頂点（４５）は、前記ハウジング（１０１）の前記開口（１０３）への前記第１のジョー（５）の挿入が前記第１のジョー（５）の旋回動作を引き起こして前記第１のジョー（５）および前記第２のジョー（７）を前記１つまたは複数のケーブル（１０５、１０７）上へ締め付けるように寸法設定されている、請求項５に記載の密閉型電気コネクタ（１００）のハウジング（１０１）用のケーブルクランプ装置（１）。
【請求項７】
前記第１のジョー（５）は、前記ハウジング（１０１）の前記開口（１０３）への前記グリッド（３）の導入方向とは逆の方向に前記第２のジョー（７）を越えて延びている、請求項２から６のいずれか一項に記載の密閉型電気コネクタ（１００）のハウジング（１０１）用のケーブルクランプ装置（１）。
【請求項８】
前記いわゆる組付け状態で前記１つまたは複数のケーブル（１０５、１０７）に接触するように構成された前記第１のジョー（５）および／または前記第２のジョー（７）の面（４９）に、前記１つまたは複数のケーブル（１０５、１０７）を固定するための少なくとも１つの保持形状（５１、５３）、特に突起（５１、５３）が設けられている、請求項２から７のいずれか一項に記載の密閉型電気コネクタ（１００）のハウジング（１０１）用のケーブルクランプ装置（１）。
【請求項９】
前記いわゆる組付け状態で前記ハウジング（１０１）の前記開口（１０３）の内壁（１１９）に対向する前記第２のジョー（７）の少なくとも１つの壁に、前記ハウジング（１０１）内の前記グリッド（３）のスナップロックを可能にする少なくとも１つの突起（５５）が設けられている、請求項２から８のいずれか一項に記載の密閉型電気コネクタ（１００）のハウジング（１０１）用のケーブルクランプ装置（１）。
【請求項１０】
特にプラスチック材料から作られた単一の一体鋳造の弾性片で形成されている、請求項１から９のいずれか一項に記載の密閉型電気コネクタ（１００）のハウジング（１０１）用のケーブルクランプ装置（１）。
【請求項１１】
１つまたは複数の電気ケーブル（１０５、１０７）および請求項１に記載のケーブルクランプ装置（１）を収容するための少なくとも１つの開口（１０３）が設けられたハウジング（１０１）を備えている電気コネクタ、特に密閉型電気コネクタ。
【請求項１２】
前記ケーブルクランプ装置（１）は、第１のジョー（５）および第２のジョー（７）が設けられた前記グリッド（３）を備えており、前記第１のジョー（５）および前記第２のジョー（７）は、前記第１のジョー（５）と前記第２のジョー（７）との間に前記グリッド（３）の導入方向（Ａ）に前記ハウジング（１０１）の前記開口（１０３）へ前記１つまたは複数の電気ケーブル（１０５、１０７）を固定するような保持形状（５１、５３）を具備している、請求項１１に記載の電気コネクタ、特に密閉型電気コネクタ。
【請求項１３】
少なくとも請求項２に記載のケーブルクランプ装置（１）を密閉型電気コネクタ（１００）のハウジング（１０１）に接合する方法であって、
ａ）前記１つまたは複数の電気ケーブル（１０５、１０７）に沿って前記ハウジング（１０１）の開口（１０３）まで前記グリッド（３）を摺動させるステップと、
ｂ）前記第１のジョー（５）および前記第２のジョー（７）が前記第１のジョー（５）と前記第２のジョー（７）との間に前記１つまたは複数の電気ケーブル（１０５、１０７）を締め付けるまで、前記第１のジョー（５）を旋回させるように、前記グリッド（３）を前記ハウジング（１０１）の前記開口（１０３）に押し込むステップとを含む方法。
【請求項１４】
請求項３から１０と組み合わせた場合に、前記ステップｂ）は、前記グリッド（３）が前記ハウジング（１０１）に導入されたとき、前記第１のジョー（５）の前記傾斜面要素（４１）の前記頂点（４５）を前記ハウジング（１０１）の前記開口（１０３）の内壁（１０９、１１９）に当接させて前記第１のジョー（５）の旋回動作を引き起こし、前記第１のジョー（５）および前記第２のジョー（７）を前記１つまたは複数のケーブル（１０５、１０７）上へ締め付けることを含む、ケーブルクランプ装置（１）を密閉型電気コネクタ（１００）のハウジング（１０１）に接合する請求項１３に記載の方法。
【請求項１５】
請求項９と組み合わせた場合に、前記ステップｂ）は、前記グリッド（３）が前記ハウジング（１０１）に導入されたとき、前記第２のジョー（７）の少なくとも１つの突起（５５）を前記ハウジング（１０１）の孔（１１５、１１７）に入れて、前記ハウジング（１０１）内の前記グリッド（３）のスナップロックを可能にすることを含む、ケーブルクランプ装置（１）を密閉型電気コネクタ（１００）のハウジング（１０１）に接合する請求項１３または１４に記載の方法。
【発明の詳細な説明】
【技術分野】
【０００１】
本発明は、密閉型電気コネクタ用のケーブルクランプ装置、ならびに１つまたは複数の電気ケーブルおよびケーブルクランプ装置を収容するための少なくとも１つの開口が設けられたハウジングを備えている電気コネクタに関する。本発明はまた、ケーブルクランプ装置を密閉型電気コネクタのハウジングに接合する方法に関する。
【背景技術】
【０００２】
密閉型電気コネクタに関しては、密閉型電気コネクタのハウジングの開口で密閉接合部に付随するリアグリッドを使用し、それによって電気ケーブルが挿入されることが知られている。この目的で、リアグリッドには、電気ケーブルを受け入れるように寸法設定されたオリフィスが設けられる。リアグリッドは特に、密閉接合部を保持および圧縮することを可能にする。
【０００３】
密閉型のコネクタでは、ハウジングのさらに内側に位置する圧着端子とは異なり、電気ケーブルの絶縁体が圧着されない。これにより、たとえばコネクタの取扱いおよび／または使用中、ハウジングへのケーブルの挿入方向とは逆の方向にケーブルが引っ張られたとき、密閉型ハウジングは引張り応力を受けやすくなる。
【発明の概要】
【発明が解決しようとする課題】
【０００４】
本発明の目的は、密閉型電気コネクタ用のケーブルクランプ装置を提案することであり、このケーブルクランプ装置は、特にハウジング内に電気ケーブルを固定することを可能にし、その結果、密閉型電気コネクタは、ケーブルにかかる軸方向応力により良好に耐えることができるようになる。
【課題を解決するための手段】
【０００５】
本発明によれば、この目的は、グリッドを備え、グリッド自体が、１つまたは複数のケーブルをそれぞれ受け入れるための１つまたは複数の受入れオリフィスをそれぞれ備えており、グリッドが、１つまたは複数のケーブル、特に各ケーブルの絶縁体を、グリッドの各受入れオリフィスに固定するためのクランプ手段を備えている、密閉型電気コネクタのハウジング用のケーブルクランプ装置によって実現される。したがって、このグリッドにより、ハウジングの開口の閉鎖を確実にする周知の機能に加えて、１つまたは複数のケーブルの絶縁体を締め付ける機能を実現することが可能になり、それにより引張り応力を受けているときでもケーブルをより良好に保持することが可能になる。同時に、本発明により、密閉型電気コネクタのアセンブリ内の構成要素の数を低減させることが可能になり、一方で電気ケーブルを潜在的な軸方向応力から保護することが可能になる。
【０００６】
本発明は、以下の実施形態によってさらに改善することができる。
【０００７】
本発明の別の実装形態によれば、グリッドは、第１のジョーおよび第２のジョーを備えることができ、第１のジョーおよび第２のジョーは、第１のジョーと第２のジョーとの間に１つまたは複数のケーブルのための１つまたは複数の受入れオリフィスを形成しており、ハウジングの開口への導入時に閉じることによって、受入れオリフィス内でケーブルを締め付けるように互いに対して可動である。ジョーが閉じる前、ケーブルは、受入れオリフィスへ容易に進むことができ、次いでジョーが電気ケーブル上に閉じることで、電気ケーブルを固定し、したがって軸方向応力への耐性を改善することが可能になる。
【０００８】
本発明の別の実装形態によれば、第１のジョーは、１つまたは複数の弾性変形可能なヒンジを使用して、第２のジョーに対する第１のジョーの回転旋回動作を可能にするように、第２のジョーに対して可動に取り付けることができる。第１のジョーおよび第２のジョーが弾性変形可能なヒンジによって可動である結果、第１のジョーの回転旋回動作を開始するための工具の使用が不要になり、組立てが容易になる。
【０００９】
本発明の別の実装形態によれば、第１および第２のジョー、および１つまたは複数のヒンジは、前記ケーブルクランプ装置がハウジングに挿入されていないいわゆる組立て状態で、第１および第２のジョーが開いてケーブルの導入を可能にし、前記ケーブルクランプ装置がハウジングに挿入されているいわゆる組付け状態で、第１および第２のジョーがさらに閉じてケーブルの固定をもたらすように形成することができる。したがって、いわゆる組立て状態で、１つまたは複数の電気ケーブルは、クランプ装置のグリッドに導入することができ、いわゆる組付け状態で、ケーブルクランプ装置は、電気ケーブルの固定を確実にする。したがって、本発明によるケーブルクランプ装置の第１及び第２のジョー、およびヒンジにより、装置の２重の機能性を確実にすることが可能になる。
【００１０】
本発明の別の実装形態によれば、第１のジョーは、グリッドの導入方向にハウジングの開口へ向けて下降している斜面を有した傾斜面要素を具備することができる。したがってグリッドの導入方向にハウジングの開口内へ下降している斜面を有した傾斜面形状により、ハウジングの開口への第１のジョー、したがってケーブルクランプ装置自体の導入を容易にすることが可能になる。
【００１１】
本発明の別の実装形態によれば、第１のジョーは、グリッドの導入方向とは逆の方向に第２のジョーを越えて延びることができる。第１のジョーと第２のジョーとの間の深さの差により、第１のジョーの回転旋回動作を容易にすることが可能になる。
【００１２】
本発明の別の実装形態によれば、前記ケーブルクランプ装置がハウジングに挿入されていないいわゆる組立て状態にあるグリッドの寸法は、グリッドが導入されるハウジングの開口の寸法より広くすることができる。したがって、グリッドの寸法は、傾斜面の頂点が第１のジョーの旋回動作を引き起こして第１および第２のジョーを１つまたは複数の電気ケーブル上へ締め付けるように適合されている。グリッドとハウジングの開口との間のこの寸法の差により、ハウジングの開口への導入中の第１のジョーの自動旋回動作を確実にすることが可能になる。
【００１３】
本発明の別の実装形態によれば、いわゆる組付け状態で１つまたは複数のケーブルに接触するように構成された第１のジョーおよび／または第２のジョーの面に、１つまたは複数のケーブルを固定するための少なくとも１つの保持形状、特に突起を設けることができる。これらの保持形状により、グリッドを受け入れるために受入れオリフィスでケーブルを保持することをさらに確実にすることが可能になる。したがって、電気ケーブルの固定がさらに改善される。
【００１４】
本発明の別の実装形態によれば、いわゆる組付け状態でハウジングの開口の内壁に対向する第２のジョーの少なくとも１つの壁に、ハウジング内のグリッドのスナップロックを可能にする少なくとも１つの突起を設けることができる。この突起により、グリッド、したがってケーブルクランプ装置を、電気ハウジングの開口に保持することを確実にすることが可能になる。このスナップロックは、振動および／または衝撃の影響を受けやすい環境における密閉型電気コネクタの使用中にいっそう必要である。
【００１５】
本発明の別の実装形態によれば、ケーブルクランプ装置は、特にプラスチック材料から作られた単一の一体鋳造の弾性片で形成することができる。これにより、密閉型電気コネクタを組み立てるための構成要素の数を低減させ、したがって特にプラスチック材料片を使用してそのようなコネクタの重量を低減させることが可能になる。加えて、プラスチック材料から作られた一体鋳造片は、再現可能かつ経済的に成形によって容易に形成することができる。
【００１６】
本発明の目的はまた、１つまたは複数の電気ケーブルおよびケーブルクランプ装置を収容するための少なくとも１つの開口が設けられたハウジングを備えている電気コネクタ、特に密閉型電気コネクタによって実現される。したがって、電気コネクタの１つまたは複数の電気ケーブルが保持され、それにより特に引張り応力を受けているとき、ケーブルの抵抗が改善される。
【００１７】
本発明の別の実装形態によれば、電気コネクタのケーブルクランプ装置は、第１のジョーおよび第２のジョーが設けられたグリッドを備えることができ、第１のジョーおよび第２のジョーは、第１のジョーと第２のジョーとの間にグリッドの導入方向にハウジングの開口へ１つまたは複数の電気ケーブルを固定するような保持形状を具備している。したがって、ケーブルクランプ装置により、リアグリッドおよびコレットチャックの機能を確実にすることが可能になる。したがって本発明により、電気コネクタのアセンブリ内の構成要素の数を低減させることが可能になり、一方で電気ケーブルを潜在的な軸方向応力からより良好に保護することが可能になる。
【００１８】
本発明の目的はまた、ケーブルクランプ装置を電気コネクタ、特に密閉型電気コネクタのハウジングに接合する方法であって、ａ）１つまたは複数の電気ケーブルに沿ってハウジングの開口までグリッドを摺動させるステップと、ｂ）第１のジョーおよび第２のジョーが第１のジョーと第２のジョーとの間に１つまたは複数の電気ケーブルを締め付けるまで、第１のジョーを旋回させるように、グリッドをハウジングの開口に押し込むステップとを含む方法によって実現される。したがって、グリッドの挿入により、リアグリッドのようにハウジングの開口を閉じるだけでなく、第１のジョーと第２のジョーとの間のケーブルの固定を確実にすることが可能になる。したがってグリッドは、ケーブルクランプ装置に２重の機能性を与える。
【００１９】
本発明は、以下の実施形態によってさらに改善することができる。
【００２０】
本発明の別の実装形態によれば、ステップｂ）は、グリッドがハウジングに導入されたとき、第１のジョーの傾斜面の頂点をハウジングの開口の内壁に当接させて第１のジョーの旋回動作を引き起こし、第１および第２のジョーをケーブル上へ締め付けることを含むことができる。したがって、第１および第２のジョーをケーブル上へ締め付けるための第１のジョーの旋回は、傾斜面の頂点からハウジングの開口へ進むことによって、自動的に誘発される。したがって、組立ては工具を必要とせず、その結果簡略化される。
【００２１】
本発明の別の実装形態によれば、ステップｂ）は、グリッドがハウジングに導入されたとき、第２のジョーの少なくとも１つの突起をハウジングの孔に入れて、ハウジング内のグリッドのスナップロックを可能にすることを含むことができる。この突起により、グリッド、したがってケーブルクランプ装置を、電気ハウジングの開口内に保持することを確実にすることが可能になる。このスナップロックは、振動および／または衝撃の影響を受ける環境における密閉型電気コネクタの使用中に特に必要である。
【００２２】
前述した実施形態を組み合わせて、本発明のさらに有利な実施変形形態を形成することができる。
【００２３】
本発明およびその利点について、好ましい実施形態を使用して、特に以下の添付の図に基づいて、以下でより詳細に説明する。
【図面の簡単な説明】
【００２４】
【図１】本発明によるケーブルクランプ装置が設けられた電気コネクタの断面を概略的に示す図。
【図２ａ】本発明によるケーブルクランプ装置を概略的に示す図。
【図２ｂ】本発明によるケーブルクランプ装置の断面を概略的に示す図。
【図３ａ】ケーブルクランプ装置を組み立てる方法の第１のステップに従って、電気ケーブル上を摺動したが密閉型電気コネクタのハウジングに接合されていない、本発明のケーブルクランプ装置の概略的に示す図。
【図３ｂ】ケーブルクランプ装置を組み立てる方法の第２のステップ中の電気コネクタおよびクランプ装置の断面図。
【図３ｃ】いわゆる組付け状態にある電気コネクタおよびケーブルクランプ装置の断面図。
【発明を実施するための形態】
【００２５】
本発明は実質的に任意のタイプの電気コネクタ、特に任意のタイプの密閉型電気コネクタに適用することができることが、当業者には理解されよう。
【００２６】
図１は、本発明による電気コネクタ、特に密閉型電気コネクタ１００の断面図を示す。コネクタ１００は、高さＬの開口１０３が設けられたハウジング１０１を備える。絶縁体１０６が設けられた電気ケーブル１０５が、開口１０３を通って導入される。図２ａおよび図２ｂの説明でさらに記載するように、本発明によるケーブルクランプ装置１は、開口１０３に位置決めされる。ケーブルクランプ装置１は、挿入方向Ａに沿って導入されている。電気ケーブル１０５およびその絶縁体１０６は、ケーブルクランプ装置１を通過し、ハウジング１０１の内部２００まで挿入される。ハウジング１０１の内側２００では、ケーブル１０５からその絶縁体１０６が剥がされ、ケーブル１０５は圧着領域２０１で圧着される。
【００２７】
密閉型の電気コネクタ１００の場合、電気ケーブルの絶縁体は密閉の理由で圧着されない。密閉を確実にするために、電気コネクタ１００には、コネクタ１００の密閉を保証するようにリップ２０５を具備した密閉プラグ２０３が設けられている。
【００２８】
図２ａおよび図２ｂは１つの同じ実施形態による本発明のケーブルクランプ装置１の２つの図を示しているので、図２ａおよび図２ｂについて以下にあわせて説明する。
【００２９】
図２ａおよび図２ｂによって示すケーブルクランプ装置１は、第１のジョー５および第２のジョー７が設けられたグリッド３を備えており、第１のジョー５および第２のジョー７は、第１のジョー５と第２のジョー７との間に、電気ケーブルを受け入れるように構成された２つの略円形のオリフィス９、１１を形成している。受入れオリフィス９、１１の寸法は、電気ケーブルの寸法に適している。この実施形態では、グリッドは、２つのオリフィスを備えているが、他の実施形態では、グリッドは、より多くのオリフィスを備えることもできる。さらに別の変形形態では、１つのオリフィスのみが存在することもできる。
【００３０】
別の実施形態によれば、ケーブルクランプ装置１は、弾性変形可能なプラスチック材料で単一の一体鋳造片から形成される。これにより、密閉型電気コネクタ内の構成要素の数を低減させ、容易なアセンブリを提供することが可能になる。
【００３１】
図２ａおよび図２ｂに示す実施形態では、第２のジョー７は、「Ｕ」の形状を有しており、その中心部分１３の長さｌ１は、２つの側部１５、１７の長さｌ２より長い。第２のジョー７の寸法は、電気コネクタのハウジングの開口の寸法に適合されることが、当業者には理解されよう。第２のジョー７の中心部分１３は、２つの円形の切り口１９、２１を与えるように凹状であり、円形の切り口１９、２１は、第１のジョー５と組み合わせて、電気ケーブルを受け入れるためのオリフィス９、１１を与える。
【００３２】
第１のジョー５は、第２のジョー７の「Ｕ」字形の開口に位置決めされる。２つのジョー５、７を連結するために、２つのヒンジ３１、３３が使用される。
【００３３】
オリフィス９、１１を閉じるために、第２のジョー７の中心部分１３に対向する第１のジョー５の平坦面４０の内壁４９が使用される。
【００３４】
オリフィス９、１１へのケーブルの容易な挿入を可能にするように、２つの円形の切り口１９、２１と第１のジョー５の内壁４９との間の距離ｌ３は、１つまたは複数の電気ケーブルの直径に適合される。
【００３５】
第１のジョー５の平坦面４０のヒンジ３１、３３に隣接して、下方側部４１から２つの傾斜面構造４２、４３が垂直に延びており、頂点４２ａ、４３ａでは、同様に平坦面４０から垂直に延びる後壁４４を介してともにつなぎ合わされる。後壁４４は、コネクタのハウジングに入るために使用される下方側部４１とは反対側に位置する。導入方向は、矢印Ａを使用して示されている。したがって、傾斜面４２、４３は、導入方向Ａとは逆の方向に高くなる。傾斜面４２、４３の形状におけるこの特定の形状寸法により、ケーブルクランプ装置１は下方側部４１で第１のジョー５の頂点４２ａ、４３ａに向かって挿入されるため、電気ハウジングの開口への第１のジョー５の挿入を容易にすることが可能になる。
【００３６】
２つの傾斜面４２、４３間の空間は空であるが、別の変形形態によれば、この空間をグリッド３に使用されるものと同じ材料で充填することもできる。
【００３７】
２つのヒンジ３１、３３は、第２のジョー７に対する第１のジョー５の回転旋回を可能にするように、弾性変形可能である。参照符号Ｂによって示す回転軸は、挿入方向Ａに直交している。第２のジョー７の２つの内側壁３５、３７に直交して一体化されている２つのヒンジ３１、３３はまた、矢印Ａに示すハウジングの開口へのケーブルクランプ装置１の挿入方向に直交している。
【００３８】
２つのヒンジ３１、３３は、第１のジョー５が回転旋回することができる軸Ｂを、ヒンジ３１、３３間に画定する。したがって第１のジョー５は、図２ｂに矢印Ｃによって示すように、２つのヒンジ３１、３３をつなぎ合わせる軸Ｂの周りを回転旋回する。したがって第１のジョー５および第２のジョー７は、互いに対して可動であり、第１のジョー５の頂点４２ａ、４３ａに圧力が印加されたとき、たとえば電気導体がハウジングの開口へ導入されたときに閉じることによって、電気ケーブルをオリフィス９、１１で締め付けることができる。
【００３９】
加えて、第１のジョー５の傾斜面４２、４３の頂点４２ａ、４３ａの高さにも対応する後壁４４の高さｌ４は、図１に示すように、ケーブルクランプ装置１が挿入されるハウジングの高さＬの開口より、グリッド３が大幅に広くなるように寸法設定される。特に、高さｌ４は、ハウジングの開口への第１のジョー５の挿入が、第１のジョー５の軸Ｂの周りの旋回を引き起こし、ジョー５、７をオリフィス９、１１でケーブル上へ締め付けるように寸法設定される。この態様について、図３ａ、図３ｂ、および図３ｃにさらに説明する。
【００４０】
オリフィス９、１１に対向する第１のジョー５の内壁４９、ならびに第２のジョー７の円形の切り口１９、２１には、ケーブルを固定するための保持形状５１、５３が設けられている。図２ａおよび図２ｂによって示す実施形態では、第１のジョーおよび第２のジョーには、傾斜面の形状の突起５１、５３が設けられており、突起５１、５３の斜面は、互いに反対の方向を有しており、これは電気ケーブルの締付けをさらに改善する働きをする。
【００４１】
加えて、第２のジョー７の壁３９には、第１のジョー５の下方側部４１に隣接して、突起５５が設けられており、それによりハウジング内のグリッド３のスナップロックが可能になる。この突起５５は、傾斜面構造を有し、傾斜面構造の斜面は挿入方向Ａに下降し、それによりハウジングの開口へのケーブルクランプ装置１の挿入を容易にすることが可能になる。この突起５５により、グリッド３、したがってケーブルクランプ装置１を、電気ハウジングの開口で保持することを確実にすることが可能になる。このスナップロックは、振動および／または衝撃の影響を受けやすい環境における密閉型電気コネクタの使用中に特に必要である。
【００４２】
図２ａおよび図２ｂに示す実施形態では、ケーブルクランプ装置１をさらに軽くし、変形を容易にしてハウジングへのグリッド３の導入を可能にするために、第２のジョー７の壁３９にはいくつかの凹部５７ａ、５７ｂ、５７ｃ、５７ｄが設けられている。
【００４３】
さらに、第２のジョー７の壁３９の周辺部４７は、電気コネクタのハウジングの開口への第２のジョー７の挿入を容易にするように面取りされている。
【００４４】
図３ａは、前記ケーブルクランプ装置１がハウジングに挿入されておらず、ジョー５、７が開いて力を必要とすることなく電気ケーブルの導入を可能にしているいわゆる組立て状態にあるケーブルクランプ装置１を示す。このステップは、本発明によるケーブルクランプ装置１を電気コネクタ、特に密閉型電気コネクタのハウジングに接合する方法の第１のステップに対応する。
【００４５】
図３ａで、密閉型電気コネクタ１００は、本発明によるケーブルクランプ装置１を受け入れるように寸法設定された開口１０３が設けられたハウジング１０１を備える。２つの電気ケーブル１０５、１０７が、密閉型電気コネクタ１００のハウジング１０１の内側にすでに圧着されている。１つの変形形態では、２つより多いまたは少ない電気ケーブルが存在することもできる。
【００４６】
図３ａに示すステップで、ケーブルクランプ装置１は、電気ケーブル１０５、１０７に沿って摺動し、電気ケーブル１０５、１０７は、導入方向Ａにグリッド３の受入れオリフィス９、１１に収容されている。
【００４７】
第１のジョー５の後壁４４の高さｌ４が、ハウジング１０１の開口１０３の高さＬより大幅に大きいグリッド３の寸法を与える。しかし、第１のジョー５の傾斜面４２、４３の形状の構造により、開口１０３へのケーブルクランプ装置１の挿入を容易にすることが可能になる。加えて、第２のジョー７の壁３９の面取りされた周辺部４７により、特にハウジング１０１の開口１０３の周辺部１０９も同様に面取りされているため、同様に開口１０３への第２のジョー７の挿入を容易にすることが可能になる。
【００４８】
開口１０３の両側に位置するハウジング１０１の側壁１１１、１１３にはそれぞれ、第２のジョー７の突起５５を受け入れるように構成された孔１１５、１１７が設けられており、それによりハウジング１０１内のケーブルクランプ装置１のスナップロックが可能になる。
【００４９】
図３ｂは、ケーブルクランプ装置１を組み立てる方法の第２のステップ中の電気コネクタ１００およびケーブルクランプ装置１の断面図を示す。
【００５０】
このステップで、ケーブルクランプ装置１は、ハウジング１０１の開口１０３の内側にすでに部分的に挿入されている。
【００５１】
第２のジョー７は、ハウジング１０１の内側で摺動しており、第２のジョー７の寸法は、開口１０３に対して相補形である。第１のジョー５も同様に、ハウジング１０１の内側で摺動し、それにより傾斜面４２、４３の斜面が挿入方向Ａに下降する。したがって、第１のジョー５の下方側部４１がまず導入され、次いでケーブルクランプ装置１がハウジング１０１の内側にさらに押し込まれ、その後、第１のジョー５の傾斜面４２の頂点４２ａのすぐ下の部分４２ｂが、電気ハウジング１０１の開口１０３の面取りされた周辺部１０９で停止する。導入方向Ａに沿って、ｌ５がｌ７より長いという第１のジョーの深さｌ５と第２のジョーの深さｌ７との間の長さの差によって、ジョー５の旋回がさらに容易になる。したがって、第１のジョー５の長さｌ６のうち、後壁４４に向かっている部分が、導入方向Ａに対して平行な方向に第２のジョー７を越えて延びる。長さｌ６のこの部分は、具体的には、傾斜面４２の頂点４２ａとは反対側に対応する。
【００５２】
図３ｃは、次のいわゆる組付け状態にある電気コネクタ１００およびケーブルクランプ装置１の断面図を示す。
【００５３】
図３ｂのステップで示すように、挿入方向Ａにケーブルクランプ装置１をさらに押し込むことによって、第１のジョー５の傾斜面４２、４３の頂点４２ａ、４３ａが、開口１０３の面取りされた周辺部１０９に当接することで、矢印Ｃによって示すように、回転軸Ｂの周りで第１のジョー５の旋回を引き起こす。グリッド３、特に第１のジョー５の高さｌ４と、ハウジング１０１の開口１０３の高さＬとの間の寸法の差により、開口１０３へのハウジング１０１の導入中に第１のジョー５の旋回を誘発することが可能になる。
【００５４】
第１のジョー５の回転旋回により、矢印Ｃによって示すように、第１のジョー５の内壁４９を第２のジョー７の方へ下げ、したがって電気ケーブル１０５上に第１のジョー５および第２のジョー７を閉じて電気ケーブル１０５を固定することが可能になる。加えて、第１のジョー５の突起５１および第２のジョー７の突起５３は、特に突起５１、５３が傾斜面形状を有し、傾斜面形状の斜面が互いに逆の方向を有しているため、電気ケーブル１０５をさらに保持し、それにより電気ケーブル１０５の締付けを改善する。したがって、突起５１、５３は、電気ケーブル１０５の絶縁体１０６に圧力を加え、突起５１、５３と絶縁体１０６との間の摩擦および／または形状によって固定を引き起こす。同じことが、第２のケーブル１０７にも当てはまり、適用される。
【００５５】
いわゆる組付け状態で、ケーブルクランプ装置１は、突起５５および相補形の孔１１５、１１７（図３ｃには図示せず）によるスナップロックによって保持される。加えて、ケーブルクランプ装置１は同様に、第１のジョー５の傾斜面４２、４３の頂点４２ａ、４３ａとハウジング１０１の内壁１１９との間の摩擦によって保持される。
【００５６】
したがって、本発明のケーブルクランプ装置１により、特に図３ｃに矢印Ｔによって示すように引張り応力を受けているとき、密閉型電気コネクタ１００内の電気ケーブル１０５、１０７の保持を確実にすることが可能になる。本発明のケーブルクランプ装置１によってケーブル１０５、１０７の絶縁体１０６を締め付けることに加えて、電気ケーブル１０５、１０７の伝導コアを圧着することで、図３ｃによって示すように矢印Ｔの方向に引張り応力を受けているときの電気ケーブル１０５、１０７の抵抗を改善することが可能になる。
【００５７】
したがって、ケーブルクランプ装置１を有するそのような密閉型電気コネクタ１００は、振動および／または衝撃の影響を受けやすい環境における使用に適している。
【符号の説明】
【００５８】
１  ケーブルクランプ装置
３  グリッド
５  第１のジョー
７  第２のジョー
９、１１  受入れオリフィス
１３  中心部分
１５、１７  側部
１９、２１  切り口
３１、３３  ヒンジ
３５、３７  内壁
３９  面、壁
４０  平坦面
４１  下方側部
４２、４３  傾斜面
４２ａ、４３ａ  頂点
４４  後壁
４７  周辺部
４９  内壁
５１、５３、５５  突起
５７ａ、５７ｂ、５７ｃ、５７ｄ  凹部
１００  密閉型電気コネクタ
１０１  ハウジング
１０３  開口
１０５  電気ケーブル
１０６  絶縁体
１０７  電気ケーブル
１０９  周辺部
１１１、１１３  側壁
１１５、１１７  孔
１１９  内壁
２００  内部
２０１  圧着領域
２０３  密閉プラグ
２０５  リップ
Ａ  挿入方向
Ｂ  回転軸
Ｃ  回転運動
Ｔ  引張り方向、軸方向応力
Ｌ  開口の高さ
ｌ１、ｌ２、ｌ３、ｌ４、ｌ５、ｌ６、ｌ７  長さ／高さ
【図１】
2019200992.tif 000003
【図２ａ】
2019200992.tif 000004
【図２ｂ】
2019200992.tif 000005
【図３ａ】
2019200992.tif 000006
【図３ｂ】
2019200992.tif 000007
【図３ｃ】
2019200992.tif 000008
【外国語明細書】
2019200992000001.pdf